(57)【要約】      （修正有）【課題】フローズン飲料解凍状態の販売停止を自動的に行うことができるフローズン飲料ディスペンサを提供する。【解決手段】シロップと希釈水と炭酸ガスなどを原料としてその混合飲料を凍らせながら攪拌してフローズン飲料を製造、販売するフローズン飲料ディスペンサにおいて、そのディスペンサ本体に搭載した冷却シリンダ７０内のフローズン飲料を販売する販売バルブ１０に、フローズン飲料解凍時の販売を停止させる販売停止手段を設けた。販売停止手段は、フローズン飲料を販売するときにはシール部を開放し、フローズン飲料の販売を停止するときにはシール部を閉塞させるスライド弁と、スライド弁をシール部閉塞位置に固定させるスライド弁固定手段とから構成される。【選択図】図２
2015034015.tif 000002
【特許請求の範囲】
【請求項１】
シロップと希釈水を原料としてその混合飲料を凍らせながら攪拌してフローズン飲料を製造、販売するフローズン飲料ディスペンサにおいて、
そのディスペンサ本体に搭載した冷却シリンダ内のフローズン飲料を販売する販売バルブに、フローズン飲料解凍時の販売を停止させる販売停止手段を設けたことを特徴とするフローズン飲料ディスペンサ。
【請求項２】
前記販売停止手段は、フローズン飲料を販売するときにはシール部を開放し、フローズン飲料の販売を停止するときには前記シール部を閉塞させるスライド弁と、
前記スライド弁を前記シール部閉塞位置に固定させるスライド弁固定手段と、から構成されることを特徴とする請求項１に記載のフローズン飲料ディスペンサ。
【請求項３】
前記スライド弁固定手段は、ソレノイドの起動により前記スライド弁を前記シール部閉塞位置に固定させるスライド弁固定リンク機構を有していることを特徴とする請求項１または請求項２に記載のフローズン飲料ディスペンサ。
【請求項４】
前記スライド弁固定リンク機構が前記スライド弁を前記シール部閉塞位置に固定させると、前記販売バルブの販売レバーが操作不能状態に固定されることを特徴とする請求項１乃至請求項３の何れかの項に記載のフローズン飲料ディスペンサ。
【発明の詳細な説明】
【技術分野】
【０００１】
本発明は、シロップと希釈水と炭酸ガスなどを原料としてシャーベット状のフローズン飲料を製造、販売するフローズン飲料ディスペンサに関する。
【背景技術】
【０００２】
フローズン飲料ディスペンサは、シロップと希釈水と炭酸ガスなどを原料としてその混合飲料を冷却シリンダで凍らせながら攪拌して空気を混入させたシャーベット状のフローズン飲料を製造、販売するものである（例えば、特許文献１参照）。
【０００３】
図１０は、フローズン飲料ディスペンサの概略構成図である。図に示すように、３０は希釈水供給回路、３１は水ポンプ、３３は希釈水流量調整器、３４は希釈水電磁弁、３５は希釈水逆止弁、４０はシロップ供給回路、４１は炭酸ガスボンベ、４２はシロップタンク、４４はシロップ流量調整器、４５はシロップ電磁弁、４６はシロップ逆止弁、５０は炭酸ガス供給回路、５１炭酸ガス電磁弁、５２は炭酸ガス逆止弁、７０は冷却シリンダ、８０は販売バルブである。
【０００４】
販売バルブ８０は、図１１に示すように、販売レバー８１、スライド弁８２、シール部８３、スプリング８４、バルブカバー８５、販売ノズル８６などから構成されている。
【０００５】
そして、顧客により販売レバー８１が手前側（図中、左側方向）に引かれると、スライド弁８２が上方に移動することでシール部８３が開放され、冷却シリンダ７０でシャーベット状に製造されているフローズン飲料が販売ノズル８６から吐出されて販売される。また、販売レバー８１を元に戻すと、スライド弁８２がスプリング８４により下方に移動してシール部８３が閉塞され、フローズン飲料の吐出が停止される。
【０００６】
このように、フローズン飲料ディスペンサは、顧客が販売バルブ８０の販売レバー８１を手前側に引くことによって冷却シリンダ７０で製造されているシャーベット状のフローズン飲料が販売ノズル８６から吐出されて販売され、販売レバー８１を元に戻すことでフローズン飲料の吐出を停止するようにしている。
【先行技術文献】
【特許文献】
【０００７】
【特許文献１】特開２００２−２４０８９６号公報
【発明の概要】
【発明が解決しようとする課題】
【０００８】
前記のフローズン飲料ディスペンサは、ファミリーレストラン、ファーストフード店、コンビニエンスストアなどに備え付けて使用するものであり、販売バルブ８０の販売レバー８１を操作する顧客は不特定多数である。
【０００９】
一般的に、フローズン飲料はシロップと希釈水と炭酸ガスなどを原料としてその混合飲料を冷却シリンダ７０で凍らせながら攪拌して空気を混入させ、−５℃前後の飲料温度のシャーベット状に細かい氷の粒と原料の粒とが混合されたものである。
【００１０】
しかしながら、フローズン飲料は、−５℃前後の状態が連続して継続すると氷の成長が加速されて氷の粒が大きくなり、フローズン飲料の舌触りがざらざらしてきて飲料品質が悪くなる。この氷の粒が大きくなり、舌触りがざらざらして飲料品質が悪くなったシャーベット状のフローズン飲料は、一般的に１日に１度、冷凍装置の運転を停止して氷を解凍し、液体の状態にもどす解凍作業が必要となる。
【００１１】
この氷の解凍状態で顧客が販売バルブ８０の販売レバー８１を操作すると、完全にはシャーベット状になっていない不完全なフローズン飲料を販売することになる。
【００１２】
そのため、従来は販売バルブ８０の手前に販売停止の札などを掛けて顧客にフローズン飲料販売停止中の案内をしていたが、この販売停止案内に時間を要することとなり、困難な人手作業となっている。
【００１３】
本発明は、以上のような課題を解決するためになされたものであり、フローズン飲料解凍状態の販売停止を自動的に行うことができるフローズン飲料ディスペンサを提供することを目的とする。
【課題を解決するための手段】
【００１４】
上記の目的を達成するために、本発明の請求項１に係るフローズン飲料ディスペンサは、シロップと希釈水を原料としてその混合飲料を凍らせながら攪拌してフローズン飲料を製造、販売するフローズン飲料ディスペンサにおいて、
そのディスペンサ本体に搭載した冷却シリンダ内のフローズン飲料を販売する販売バルブに、フローズン飲料解凍時の販売を停止させる販売停止手段を設けたことを特徴とする。
【００１５】
また、本発明の請求項２に係るフローズン飲料ディスペンサは、上述した請求項１において、前記販売停止手段は、フローズン飲料を販売するときにはシール部を開放し、フローズン飲料の販売を停止するときには前記シール部を閉塞させるスライド弁と、
前記スライド弁を前記シール部閉塞位置に固定させるスライド弁固定手段と、から構成されることを特徴とする。
【００１６】
また、本発明の請求項３に係るフローズン飲料ディスペンサは、上述した請求項１または請求項２において、前記スライド弁固定手段は、ソレノイドの起動により前記スライド弁を前記シール部閉塞位置に固定させるスライド弁固定リンク機構を有していることを特徴とする。
【００１７】
また、本発明の請求項４に係るフローズン飲料ディスペンサは、上述した請求項１乃至請求項３の何れかの項において、前記スライド弁固定リンク機構が前記スライド弁を前記シール部閉塞位置に固定させると、前記販売バルブの販売レバーが操作不能状態に固定されることを特徴とする。
【発明の効果】
【００１８】
請求項１の発明によれば、シロップと希釈水を原料としてその混合飲料を凍らせながら攪拌してフローズン飲料を製造、販売するフローズン飲料ディスペンサにおいて、そのディスペンサ本体に搭載した冷却シリンダ内のフローズン飲料を販売する販売バルブに、フローズン飲料解凍時の販売を停止させる販売停止手段を設けたことにより、フローズン飲料の解凍時に誤って完全にシャーベット状になっていない不完全な品質のフローズン飲料を販売することを防止することができ、フローズン飲料解凍状態の販売停止を自動的に行うことができるフローズン飲料ディスペンサを提供することが可能となる。
【００１９】
また、請求項２の発明によれば、販売停止手段は、フローズン飲料を販売するときにはシール部を開放し、フローズン飲料の販売を停止するときにはシール部を閉塞させるスライド弁と、スライド弁をシール部閉塞位置に固定させるスライド弁固定手段と、から構成されることにより、簡易な構成でフローズン飲料解凍状態の販売停止を自動的に行うことができるフローズン飲料ディスペンサを提供することが可能となる。
【００２０】
また、請求項３の発明によれば、スライド弁固定手段は、ソレノイドの起動によりスライド弁をシール部閉塞位置に固定させるスライド弁固定リンク機構を有していることにより、フローズン飲料解凍状態の販売停止を制御手段が自動で行うことができるフローズン飲料ディスペンサを提供することが可能となる。
【００２１】
また、請求項４の発明によれば、スライド弁固定リンク機構がスライド弁をシール部閉塞位置に固定させると、販売バルブの販売レバーが操作不能状態に固定されることにより、顧客が誤って解凍状態のフローズン飲料を販売することを防止することが可能となる。
【図面の簡単な説明】
【００２２】
【図１】本発明の実施の形態であるフローズン飲料ディスペンサを示す外観斜視図である。
【図２】図１に示したフローズン飲料ディスペンサの概略構成図である。
【図３】図１に示したフローズン飲料ディスペンサの販売バルブを示す外観斜視図である。
【図４】図３に示した販売バルブの販売レバーを操作することによりスライド弁がシール部を開放可能としている断面側面図である。
【図５】図３に示した販売バルブのスライド弁をシール部閉塞位置に固定させている断面側面図である。
【図６】図１に示した販売バルブに取り付けたアルコール販売ノズルを示し、（ａ）、（ｂ）は外観斜視図、（ｃ）はその断面側面図である。
【図７】図１に示したフローズン飲料ディスペンサの制御ブロック図である。
【図８】図１に示したフローズン飲料ディスペンサのフローズン飲料解凍時に販売を停止させる制御を示すフローチャート図である。
【図９】図１に示したフローズン飲料ディスペンサのアルコール添加フローズン飲料販売の制御を示すタイミングチャート図である。
【図１０】従来のフローズン飲料ディスペンサの概略構成図である。
【図１１】図１０に示した販売バルブの断面側面図である。
【発明を実施するための形態】
【００２３】
以下、図面を参照しながら、本発明に係るフローズン飲料ディスペンサの好適な実施の形態について詳細に説明する。なお、この実施の形態によりこの発明が限定されるものではない。また、従来と同一構成に関しては同一符号を用いる。
【００２４】
図１は、本発明の実施の形態である、シロップと希釈水と炭酸ガスなどを原料としてその混合飲料を冷却シリンダで凍らせながら攪拌して空気を混入させたシャーベット状のフローズン飲料を製造、販売するフローズン飲料ディスペンサを示す外観斜視図である。図に示すように、フローズン飲料ディスペンサ１は、ディスペンサ本体２と操作パネル３と販売バルブ１０を備えている。
【００２５】
ディスペンサ本体２は箱体であり、その底部には、高さ調整をするための調整脚２ａが設けてある。また、ディスペンサ本体２の内部には、シロップと希釈水と炭酸ガスを原料としてその混合飲料を凍らせながら攪拌して空気を混入させてシャーベット状のフローズン飲料を製造する冷却シリンダ７０や、冷却シリンダ７０を冷却する冷凍装置７２（図７参照）、希釈水供給回路３０、水ポンプ３１、希釈水自動バルブ３２、希釈水逆止弁３５、シロップ供給回路４０、シロップ自動バルブ４３、シロップ逆止弁４６、炭酸ガス供給回路５０、炭酸ガス電磁弁５１、炭酸ガス逆止弁５２、アルコール供給回路６０、アルコール自動バルブ６２（以上、詳細は図２参照）などを備えている。
【００２６】
操作パネル３の前面には、フローズン飲料にアルコール（飲料）を添加したアルコール添加フローズン飲料を選択するときに押圧するアルコール販売ボタン（飲料販売選択ボタン）４を備えている。
【００２７】
販売バルブ１０は、販売レバー１１が手前側（図中、右側方向）に引かれると、冷却シリンダ７０でシャーベット状に製造されているフローズン飲料を販売ノズル２０（図３、４、５参照）から吐出して販売する。
【００２８】
そして、アルコール販売ボタン４が押圧されないで販売レバー１１が手前側（図中、右側方向）に引かれると、販売ノズル２０からフローズン飲料が販売される。また、アルコール販売ボタン４が押圧されて販売レバー１１が手前側に引かれると、販売ノズル２０から販売されているフローズン飲料に、アルコール販売ノズル２１からアルコールを吐出して添加し、フローズン飲料にアルコールが添加されたアルコール添加フローズン飲料が販売される。
【００２９】
また、ディスペンサ本体２の前面下端部には、ドリップトレイ５を備えている。ドリップトレイ５は、販売バルブ１０やアルコール販売ノズル２１から垂れる飲料を受け止めるためのもので、カバー６を通過してドリップトレイ５に受け止められる。
【００３０】
図２は、本発明の実施の形態であるフローズン飲料ディスペンサ１の概略構成図である。図に示すように、１０は販売バルブ、３０は冷却シリンダ７０に水道水を供給する希釈水供給回路、３１は水道水を圧送する水ポンプ、３２は流量センサと電磁弁を有し、電磁弁を開放して流量センサが出力するパルス数が所定のパルス数に達すると電磁弁を閉塞し、予め定めている量の希釈水を供給する希釈水自動バルブ、３５は希釈水逆止弁、４０は冷却シリンダ７０にシロップを供給するシロップ供給回路、４１は炭酸ガスボンベ、４２はシロップタンク、４３は希釈水自動バルブ３２と同じく、流量センサと電磁弁を有し、電磁弁を開放して流量センサが出力するパルス数が所定のパルス数に達すると電磁弁を閉塞し、予め定めている量のシロップを供給するシロップ自動バルブ、４６はシロップ逆止弁、５０は希釈水とシロップの混合飲料に炭酸ガスを供給する炭酸ガス供給回路、５１炭酸ガス電磁弁、５２は炭酸ガス逆止弁、６０はアルコール販売ノズル２１にアルコールを供給するアルコール供給回路、６１はアルコールタンク、６２は希釈水自動バルブ３２と同じく、流量センサと電磁弁を有し、電磁弁を開放して流量センサが出力するパルス数が所定のパルス数に達すると電磁弁を閉塞し、予め定めている量のアルコールを供給するアルコール自動バルブ、７０は冷却シリンダである。なお、アルコール自動バルブ６２を用いて予め定めている量のアルコールを供給する実施の形態を説明しているが、例えば、流量調整器を用いて時間制御により予め定めている量のアルコールを供給するようにしてもよい。
【００３１】
図３、４、５は、販売バルブ１０を示し、フローズン飲料を販売するときに手前側（図中、左側方向）に引く販売レバー１１、フローズン飲料を販売するときにはシール部１３を開放し、フローズン飲料の販売を停止するときにはシール部１３を閉塞させるスライド弁１２、スライド弁１２をシール部１３側に押圧してシール部１３を閉塞するスプリング１４、ソレノイド１５の起動によりスライド弁１２をシール部１３閉塞位置に固定させるスライド弁固定リンク機構１６、スライド弁１２の上端に設けられたマグネット１８の上昇を検知して制御部９０に検知信号（フローズン飲料販売検知信号）を出力するマグネットセンサ１７、バルブカバー１９、販売ノズル２０などから構成され、バルブ固定ベース９を介してディスペンサ本体２の内部に備えられる冷却シリンダ７０に接続されるようにして固定される。
【００３２】
また、図１、２、６に示すように、販売ノズル２０の周囲（近傍）には、アルコール販売ノズル（飲料販売ノズル）２１が装着されている。アルコール販売ノズル２１は、ノズル本体２２と、アルコール供給回路６０に接続される接続端子２３と、アルコールを吐出するノズル部２４から構成され、接続端子２３とノズル部２４は連通している。
【００３３】
図７は、本発明の実施の形態であるフローズン飲料ディスペンサ１の制御ブロック図を示し、フローズン飲料ディスペンサ１でのフローズン飲料の製造や販売などを制御する制御部（制御手段）９０は、中央処理装置としてのＣＰＵ９１、ＣＰＵ９１の制御プログラムを格納するＲＯＭ（リード・オンリー・メモリ）９２、ＣＰＵ９１の制御に必要な各種のプログラムやデータを随時記憶するＲＡＭ（ランダム・アクセス・メモリ：例えば、シロップと希釈水と炭酸ガスの混合比率やフローズン飲料の解凍開始時間、フローズン飲料の解凍時間、製造時間などを記憶する）９３、基準クロック発生部（図示せず）で発生するクロックをカウントして各種時刻を計時するタイマー（フローズン飲料の解凍開始時間やフローズン飲料の解凍が完了する時間、フローズン飲料の製造が完了する時間など）９４、フローズン飲料ディスペンサ１に備えられている各機器に通電する電力回路を有する通電部９５から構成されている。
【００３４】
また、制御部９０には、フローズン飲料ディスペンサ１の各種設定データ（例えば、シロップと希釈水と炭酸ガスの混合比率やフローズン飲料の解凍開始時間、フローズン飲料の解凍時間、製造時間など）を入力するリモコン９６、フローズン飲料にアルコールを添加したアルコール添加フローズン飲料を選択するときに押圧するアルコール販売ボタン４、マグネット１８の上昇を検知して制御部９０にスライド弁１２が上昇したことを検知した検知信号（フローズン飲料販売検知信号）を出力するマグネットセンサ１７などが接続されている。
【００３５】
さらに、制御部９０は、スライド弁１２をシール部１３閉塞位置に固定させるスライド弁固定リンク機構１６を時計方向に回転させるソレノイド１５、水ポンプ３１、希釈水自動バルブ３２、シロップ自動バルブ４３、炭酸ガス電磁弁５１、アルコール自動バルブ６２、冷却シリンダ７０で製造するフローズン飲料を攪拌する攪拌モータ７１、冷却シリンダ７０を冷却する冷凍装置７２などへの通電制御を行う。
【００３６】
次に、制御部９０によるフローズン飲料解凍時に販売バルブ１０の販売レバー１１を操作不能状態に固定してフローズン飲料販売を停止させる制御の手順を図８のフローチャート図を用いて説明する。予め設定しているフローズン飲料の解凍開始時間になると、先ず、冷却シリンダ７０を冷却している冷凍装置７２の運転を停止してフローズン飲料の解凍を開始する（ステップＳ１１）。冷凍装置７２の運転を停止してフローズン飲料の解凍を開始した後、ソレノイド１５にＯＮ信号を出力する（ステップＳ１２）。制御部９０がソレノイド１５にＯＮ信号を出力すると、ソレノイド１５の昇降シャフト１５ａが上昇することによってスライド弁固定リンク機構１６が時計方向に回転してスライド弁１２の上方への移動を禁止し、スライド弁１２をシール部１３閉塞位置に固定させることで、販売バルブ１０の販売レバー１１は操作不能状態に固定され、顧客が販売バルブ１０を操作してフローズン飲料を販売することができなくなる（図５参照）。
【００３７】
そして、予め設定している所定時間（フローズン飲料の解凍が完了する時間）経過すると（ステップＳ１３）、冷凍装置７２の運転を開始して冷却シリンダ７０を冷却し、シロップと希釈水と炭酸ガスなどを原料としてその混合飲料を冷却シリンダ７０で凍らせながら攪拌して空気を混入させたシャーベット状のフローズン飲料の製造を開始する（ステップＳ１４）。
【００３８】
さらに、予め設定している所定時間（フローズン飲料の製造が完了する時間）経過すると（ステップＳ１５）、ソレノイド１５に出力しているＯＮ信号を停止する（ステップＳ１６）。制御部９０がソレノイド１５に出力しているＯＮ信号を停止すると、ソレノイド１５の昇降シャフト１５ａが下降することによってスライド弁固定リンク機構１６が反時計方向に回転してスライド弁１２の昇降が自由となり（スライド弁の移動を許可）、販売バルブ１０の販売レバー１１は操作可能状態に戻り、顧客が販売バルブ１０を操作してフローズン飲料を販売することができるようになる（図４参照）。
【００３９】
このように、制御部９０によるフローズン飲料解凍時に販売バルブ１０の販売レバー１１を操作不能状態に固定してフローズン飲料販売を停止させるには、予め設定してあるフローズン飲料の解凍開始時間になると、先ず、冷却シリンダ７０を冷却している冷凍装置７２の運転を停止してフローズン飲料の解凍を開始した後、ソレノイド１５にＯＮ信号を出力して、ソレノイド１５の昇降シャフト１５ａを上昇させることによってスライド弁固定リンク機構１６を時計方向に回転させてスライド弁１２の上方への移動を禁止し、スライド弁１２をシール部１３閉塞位置に固定させることで、販売バルブ１０の販売レバー１１を操作不能状態に固定し、顧客が販売バルブ１０の販売レバー１１を操作することをできなくする。
【００４０】
そして、予め設定してあるフローズン飲料の解凍が完了する時間が経過すると、冷凍装置７２の運転を開始して冷却シリンダ７０を冷却し、シロップと希釈水と炭酸ガスなどを原料としてその混合飲料を冷却シリンダ７０で凍らせながら攪拌して空気を混入させたシャーベット状のフローズン飲料の製造を開始する。
【００４１】
さらに、予め設定してあるフローズン飲料の製造が完了する時間が経過し、ソレノイド１５に出力しているＯＮ信号を停止すると、ソレノイド１５の昇降シャフト１５ａが下降することによってスライド弁固定リンク機構１６が反時計方向に回転してスライド弁１２の昇降が自由となり、販売バルブ１０の販売レバー１１が操作可能状態に戻ることによって、顧客が販売バルブ１０の販売レバー１１を操作して、シャーベット状に細かい氷の粒と原料の粒とが混合されたフローズン飲料を販売することができるようになるので、フローズン飲料の解凍時に完全にシャーベット状になっていない不完全な品質のフローズン飲料を誤って販売することを防止することができ、フローズン飲料解凍状態の販売停止を自動的に行うことができるフローズン飲料ディスペンサ１を提供することが可能となる。
【００４２】
なお、フローズン飲料解凍時に販売バルブ１０の販売レバー１１を操作不能状態に固定してフローズン飲料の販売を停止させているときには、点灯表示手段などを用いて顧客にフローズン飲料の販売を停止させていることを表示するようにしてもよい。
【００４３】
次に、制御部９０によるフローズン飲料ディスペンサのアルコール添加フローズン飲料販売の制御を図９のタイミングチャート図を用いて説明する。
【００４４】
アルコール販売ボタン４が押圧されると、アルコール販売ボタン４を点灯する。そして、アルコール販売ボタン４を押圧してから所定時間Ｔ１（例えば、２秒）以内に販売バルブ１０の販売レバー１１が顧客により操作されると、スライド弁１２が上昇してシール部１３が開放されてフローズン飲料が販売ノズル２０から販売される。同時に、スライド弁１２の上端に設けられたマグネット１８の上昇をマグネットセンサ１７が検知し、フローズン飲料販売検知信号を制御部９０に出力する。制御部９０は、フローズン飲料販売検知信号を受信して所定時間Ｔ２（例えば、０．５秒）経過後、アルコール自動バルブ６２に信号を出力して予め定めている所定時間Ｔ３で所定量のアルコールをアルコール販売ノズル２１から供給する。そして、所定時間経過して顧客により販売レバー１１が元の位置に戻されると、フローズン飲料の販売が停止する。なお、アルコール販売ボタン４を押圧してから所定時間Ｔ１（例えば、２秒）経過すると、アルコール販売ボタン４が消灯して待機状態に戻る。
【００４５】
このように、フローズン飲料ディスペンサ１でアルコール添加フローズン飲料を販売するには、アルコール販売ボタン４が押圧されると、アルコール販売ボタン４が点灯する。そして、アルコール販売ボタン４が押圧されてから所定時間Ｔ１以内に販売レバー１１が操作されると、スライド弁１２が上昇してシール部１３が開放されてフローズン飲料が販売ノズル２０から販売され、同時に、スライド弁１２の上端に設けられたマグネット１８の上昇をマグネットセンサ１７が検知してフローズン飲料販売検知信号を制御部９０に出力する。フローズン飲料販売検知信号を受信して所定時間Ｔ２経過後、アルコール自動バルブ６２に信号を出力して予め定めている所定時間Ｔ３で計測した所定量のアルコールをアルコール販売ノズル２１から供給するように制御部９０が制御することによって、品質の安定したアルコールなどの各種飲料、また、各種フレーバーを添加したフローズン飲料を安定的に製造、販売することができるフローズン飲料ディスペンサ１を提供することが可能となる。また、アルコール自動バルブ６２を用いて予め定めている量のアルコールを供給する実施の形態を説明しているが、例えば、流量調整器を用いて時間制御により予め定めている量のアルコールを供給するようにしてもよい。
【００４６】
なお、単独のアルコール販売ボタン４でアルコール添加フローズン飲料を販売する実施の形態を用いて説明しているが、複数の各種飲料販売選択ボタンを備え、各種飲料、また、各種フレーバーを添加したフローズン飲料を販売するようにしてもよい。
【００４７】
以上説明したように本発明によれば、シロップと希釈水と炭酸ガスなどを原料としてその混合飲料を凍らせながら攪拌してフローズン飲料を製造、販売するフローズン飲料ディスペンサ１において、そのディスペンサ本体２に搭載した冷却シリンダ７０内のフローズン飲料を販売する販売バルブ１０に、フローズン飲料解凍時の販売を停止させる販売停止手段を設けたことにより、フローズン飲料の解凍時に誤って完全にシャーベット状になっていない不完全な品質のフローズン飲料を販売することを防止することができ、フローズン飲料解凍状態の販売停止を自動的に行うことができるフローズン飲料ディスペンサ１を提供することが可能となる。
【００４８】
また、販売停止手段は、フローズン飲料を販売するときにはシール部１３を開放し、フローズン飲料の販売を停止するときにはシール部１３を閉塞させるスライド弁１２と、スライド弁１２をシール部１３閉塞位置に固定させるスライド弁固定手段と、から構成されることにより、簡易な構成でフローズン飲料解凍状態の販売停止を自動的に行うことができるフローズン飲料ディスペンサ１を提供することが可能となる。
【００４９】
また、スライド弁固定手段は、ソレノイド１５の起動によりスライド弁１２をシール部１３閉塞位置に固定させるスライド弁固定リンク機構１６を有していることにより、フローズン飲料解凍状態の販売停止を制御手段が自動で行うことができるフローズン飲料ディスペンサ１を提供することが可能となる。
【００５０】
また、スライド弁固定リンク機構１６がスライド弁１２をシール部１３閉塞位置に固定させると、販売バルブ１０の販売レバー１１が操作不能状態に固定されることにより、顧客が誤って解凍状態のフローズン飲料を販売することを防止することが可能となる。
【符号の説明】
【００５１】
１      フローズン飲料ディスペンサ
２      ディスペンサ本体
４      アルコール販売ボタン（飲料販売選択ボタン）
１０      販売バルブ
１１      販売レバー
１２      スライド弁
１３      シール部
１５      ソレノイド
１６      スライド弁固定リンク機構
１７      マグネットセンサ
１８      マグネット
２０      販売ノズル
２１      アルコール販売ノズル（飲料販売ノズル）
３１      水ポンプ
３２      希釈水自動バルブ
４３      シロップ自動バルブ
５１      炭酸ガス電磁弁
６２      アルコール自動バルブ
７０      冷却シリンダ
７１      攪拌モータ
７２      冷凍装置
９０      制御部（制御手段）
【図１】
2015034015.tif 000003
【図２】
2015034015.tif 000004
【図３】
2015034015.tif 000005
【図４】
2015034015.tif 000006
【図５】
2015034015.tif 000007
【図６】
2015034015.tif 000008
【図７】
2015034015.tif 000009
【図８】
2015034015.tif 000010
【図９】
2015034015.tif 000011
【図１０】
2015034015.tif 000012
【図１１】
2015034015.tif 000013